(57)【要約】      （修正有）【課題】爪部が爪座から逸脱しない建設機械のリッパーを提供する。【解決手段】建設機械のリッパーは、爪座１、爪部２、および係止機構３を備える。爪座１は、バケットに固定されバケットから離れる一端に差し込み部１２が突出して形成される固定部１１を有する。差し込み部１２は、装着室、および装着室と連通する締付用穴１２２を有する。爪部２は、一端に爪座１の差し込み部１２の形に対応する差し込み溝２１を有し、差し込み溝２１の両壁に孔２２を有し、差し込み溝２１によって爪座１の差し込み部１２に嵌る。係止機構３は、爪座１の装着室および締付用穴１２２に装着され、爪部２を爪座１に嵌めて固定し、柱状ストッパー３１、弾性ユニット３２、および固定ユニット３３を有する。これにより、爪部２が爪座１から逸脱しない。【選択図】図２
0003170089.tif 000002
【実用新案登録請求の範囲】
【請求項１】
バケットに固定され前記バケットから離れる側に差し込み部が突出して形成される固定部を有する爪座と、
一端に前記爪座の前記差し込み部の形に対応する差し込み溝を有し、前記差し込み溝に連通するように前記差し込み溝の両壁に対応するように形成される孔を有し、前記差し込み溝によって前記爪座の前記差し込み部に嵌る爪部と、
柱状ストッパー、弾性ユニットおよび固定ユニットを有する係止機構と、
を備え、
前記差し込み部は、一方の面に外部に連通する装着室を有し、前記一方の面と反対側の面に前記装着室及び外部と連通する締付用穴を有し、
前記装着室と前記締付用穴とは、前記差し込み部を貫通し、
前記係止機構は、前記爪座の装着室および前記締付用穴に装着され、前記爪部の前記孔に対応して前記爪部を前記爪座に固定し、
前記柱状ストッパーは、前記差し込み部の前記装着室に差し込まれ、前記装着室の外部に突出する一端が一つの前記孔に入り込み、前記装着室内に位置する他端に凹溝を有し、
前記弾性ユニットは、前記凹溝内に位置付けられ、一端が前記柱状ストッパーに当接し、他端が前記装着室の底面に当接し、
前記爪部は、前記孔の前記差し込み溝の開口側に内側リード角を有し、
前記柱状ストッパーは、前記装着室の外部に突出する一端かつ前記固定部側に外側リード角を有し、
前記外側リード角は、前記内側リード角に当接し、深さが前記内側リード角の深さより小さく、
前記外側リード角の反対側と前記爪部の前記孔の内壁との間に弾性空間を有することを特徴とする建設機械のリッパー。
【請求項２】
前記固定ユニットは、前記差し込み部の前記締付用穴に差し込まれる締付部と、前記爪部の一つの前記孔内に固定される制止部とを有することを特徴とする請求項１に記載の建設機械のリッパー。
【請求項３】
前記弾性ユニットは、スプリングであることを特徴とする請求項１に記載の建設機械のリッパー。
【請求項４】
前記弾性ユニットは、ポリウレタンゴムから構成されることを特徴とする請求項１に記載の建設機械のリッパー。
【請求項５】
前記柱状ストッパーは、外壁に少なくとも一つの遮断リングを有することを特徴とする請求項１に記載の建設機械のリッパー。
【考案の詳細な説明】
【技術分野】
【０００１】
本考案は、建設機械のリッパーに関し、詳しくは、爪部を爪座から逸脱させないことが可能な建設機械のリッパーに関するものである。
【背景技術】
【０００２】
米国特許公告第５７０９０３４号明細書（特許文献１）により開示された建設機械のリッパーにおいて、該案の図１６に示すように、柱状ストッパー１７５は爪座１３に差し込まれる。爪部１２は、爪座１３の外部に嵌り、かつ両側に孔１４５を有する。孔１４５は斜面１５１を有する。柱状ストッパー１７５は、斜面１５１に対応する斜面２１８を有する。爪部１２を装着する際、柱状ストッパー１７５の斜面２１８を孔１４５の斜面１５１に当接させることによって爪部１２を爪座１３に固定する。
【先行技術文献】
【特許文献】
【０００３】
【特許文献１】米国特許公告第５７０９０３４号明細書
【考案の概要】
【考案が解決しようとする課題】
【０００４】
しかしながら、上述した建設機械のリッパーが掘削作業を進める際、爪座１３の内部に爪部１２の末端部が衝突するため、隙間が発生し始め、爪座１３と爪部１２の間での相対的な移動が増加する。従って、掘削の際に孔１４５の斜面１５１は、柱状ストッパー１７５の斜面２１８を圧迫し、柱状ストッパー１７５を内部に後退させるという現象が起こりやすい。このとき爪部１２が突然爪座１３から逸脱しやすくなるため、作業上の安全問題がある。
【０００５】
一方、このようなリッパーにおいて、爪座１３は、爪部１２に対応する両側に突出して形成された柱状ストッパー１７５を有するため、爪部１２を取り出すには、プライヤーによって柱状ストッパー１７５を内部に後退させる必要がある。掘削作業の過程において、掘り出された土は爪部の間に詰ることがよくあり、掘削の際に生じた力は土石が柱状ストッパー１７５を圧迫するという事態を招くため、爪部１２が突然爪座１３から逸脱する恐れがある。
【０００６】
本考案は、上述した問題を解決するために、爪部が爪座から逸脱しない建設機械のリッパーを提供することを目的とする。
【課題を解決するための手段】
【０００７】
上述の目的を達成するために、本考案による建設機械のリッパーは、爪座、爪部、および係止機構を備える。
爪座は、バケットに固定される固定部を有する。固定部は、バケットから離れる一端に突出して形成された差し込み部を有する。差し込み部は、一方の面に装着室を有し、一方の面と反対側の面に締付用穴を有する。装着室と締付用穴とは、互いに連通し、かつ外部に連通し、差し込み部を貫通する。
【０００８】
爪部は、一端に爪座の差し込み部の形に対応する差し込み溝を有し、差し込み溝の両壁に孔を有する。孔は向かい合うように配置され、かつ差し込み溝に連通する。爪部は、差し込み溝によって爪座の差し込み部に嵌る。
【０００９】
係止機構は、爪座の装着室および締付用穴に装着され、爪部の孔の間に対応して爪部を爪座に嵌めて固定する。係止機構は、柱状ストッパー、弾性ユニット、および固定ユニットを有する。
【００１０】
柱状ストッパーは、差し込み部の装着室に差し込まれ、一端が装着室の外部に突出して一つの孔に入り込む。柱状ストッパーは、装着室内に位置する他端に凹溝を有する。弾性ユニットは、凹溝内に位置付けられ、一端が柱状ストッパーに当接し、他端が装着室の底面に当接する。
【００１１】
爪部は、孔の差し込み溝の開口側に内側リード角を有する。柱状ストッパーは、装着室の外部に突出した一端かつ固定部側に外側リード角を有する。外側リード角は、内側リード角に当接し、深さが内側リード角の深さより小さい。外側リード角の反対側と爪部の孔の内壁との間に弾性空間を有する。
【図面の簡単な説明】
【００１２】
【図１】本考案の一実施形態による建設機械のリッパーが組み立てられた状態を示す斜視図である。
【図２】本考案の一実施形態による建設機械のリッパーを示す分解斜視図である。
【図３】本考案の一実施形態による建設機械のリッパーが作動する前の最初状態を示す模式図である。
【図４】本考案の一実施形態による建設機械のリッパーが掘削作業の最中に衝撃を受けた状態を示す模式図である。
【図５】本考案の一実施形態による建設機械のリッパーにおいて、柱状ストッパーをスライドさせて調整する状態を示す模式図である。
【図６】本考案の一実施形態による建設機械のリッパーがスライドした後、調整および固定された状態を示す模式図である。
【図７】本考案の一実施形態による建設機械のリッパーが固定ユニットによって爪部を制止する状態を示す模式図である。
【考案を実施するための形態】
【００１３】
以下、本考案による建設機械のリッパーを図面に基づいて説明する。図１から図７に示した本考案の実施形態の構成は、説明のために開示され、請求の範囲を限定するものではない。
（一実施形態）
図１から図３に示すように、本考案の一実施形態による建設機械のリッパーは、爪座１、爪部２および係止機構３を備える。
【００１４】
爪座１は、固定部１１を有し、固定部１１によってバケットＡの前端部を挟む。溶接工程によって固定部１１とバケットＡとを結合させる。
固定部１１は、バケットＡから離れる一端に突出して形成された差し込み部１２を有する。差し込み部１２は、一側に装着室１２１を有し、他側に締付用穴１２２を有する。装着室１２１と締付用穴１２２とは、互いに連通し、かつ外部に連通し、差し込み部１２を横方向に貫通する。
【００１５】
爪部２は、一端に差し込み溝２１を有する。差し込み溝２１と爪座１の差し込み部１２とは、相互に対応する形を呈する。爪部２は、差し込み溝２１の両壁に孔２２を有する。孔２２は、向かい合うように配置され、かつ差し込み溝２１に連通する。爪部２は、差し込み溝２１によって爪座１の差し込み部１２に嵌る。
【００１６】
係止機構３は、爪座１の装着室１２１および締付用穴１２２に装着され、爪部２の孔２２の間に対応して爪部２を爪座１に嵌めて固定する。
【００１７】
係止機構３は、柱状ストッパー３１、弾性ユニット３２、および固定ユニット３３を有する。柱状ストッパー３１は、差し込み部１２の装着室１２１に差し込まれ、一端が装着室１２１の外部に突出して一つの孔２２に入り込む。柱状ストッパー３１は、装着室１２１内に位置する一端に凹溝３１１を有する。弾性ユニット３２は、凹溝３１１内に位置付けられ、一端が柱状ストッパー３１に当接し、他端が装着室１２１の底面に当接する。
【００１８】
固定ユニット３３は、締付部３３１および制止部３３２を有する。固定ユニット３３の締付部３３１は、差し込み部１２の締付用穴１２２に差し込まれる。制止部３３２は、爪部２の別の一つの孔２２内に固定される。
【００１９】
本実施形態において、弾性ユニット３２はスプリングである。本考案においては、これに限らず、ポリウレタンゴムから構成されることができる。柱状ストッパー３１は、外壁に少なくとも一つの遮断リング３１２を有する。遮断リング３１２は、異物が柱状ストッパー３１と装着室１２１との間の隙間から柱状ストッパー３１の凹溝３１１内に入り込むことを防止することができる。
【００２０】
爪部２は、孔２２の差し込み溝２１の開口側に内側リード角２３を有する。柱状ストッパー３１は、装着室１２１の外部に突出した一端かつ固定部１１側に外側リード角３１３を有する。外側リード角３１３は、爪部２の孔２２の内側リード角２３に当接し、深さが内側リード角２３の深さより小さい。
【００２１】
爪座１と爪部２とを組み合わせるとき、プライヤー（図中未表示）によって柱状ストッパー３１を差し込み部１２の装着室１２１の中に押さえる。続いて、爪座１の差し込み部１２に爪部２の差し込み溝２１を嵌める。柱状ストッパー３１の差し込み溝２１内に位置する部分を爪部２の差し込み溝２１の内面に当接させると、プライヤーを離して爪座１の差し込み部１２に爪部２の差し込み溝２１を嵌める。このとき柱状ストッパー３１は、爪部２の一側の孔２２に対応し、弾性ユニット３２の弾力によって対応した孔２２に入り込む。続いて、固定ユニット３３の締付部３３１と差し込み部１２の締付用穴１２２とを結合させ、固定ユニット３３の制止部３３２を別の一側の孔２２に差し込むことによって爪部２を爪座１に固定する。
【００２２】
爪座１から爪部２を取り外すとき、プライヤーによって孔２２から柱状ストッパー３１を差し込み部１２の装着室１２１の中に押さえる。続いて、差し込み溝２１内において柱状ストッパー３１を爪部２の差し込み溝２１の内面に当接させる。そして、固定ユニット３３の締付部３３１を差し込み部１２の締付用穴１２２から逸脱させると、プライヤーを離して爪部２を爪座１から取り出すことができる。
【００２３】
図３に示したのは、爪部２が爪座１に装着され、柱状ストッパー３１の外側リード角３１３と爪部２の内側リード角２３とが最初の位置に当接する状態である。図に示すように、柱状ストッパー３１は、爪座１と爪部２との間に当接するため、スライドできる隙間がない。
【００２４】
図４に示すように、掘削作業の最中に爪部２が衝撃を受けるとき、爪部２は爪座１の方向に移動する。柱状ストッパー３１は、図５に示すように、弾性ユニット３２の圧迫によって外部に前進し、爪部２と爪座１との間の隙間が小さくなるまで持続的に前進する。このとき、図６に示すように、爪部２は、内側リード角２３が柱状ストッパー３１の外側リード角３１３に当接することによって制止される。そのため、爪部２が衝撃を受けて爪座１内部との間に隙間を生じさせるとき、柱状ストッパー３１の外側リード角３１３が弾性ユニット３２の圧迫によって爪部２の内側リード角２３の間をスライドする。これにより、隙間を許容範囲内に維持することができるだけでなく、爪部２と爪座１との相対的に移動する行程を増加させないことができる。
【００２５】
一方、柱状ストッパー３１の外側リード角３１３の反対側と爪部２の孔２２の内壁との間に弾性空間４を有する。弾性空間４は、柱状ストッパー３１の外側リード角３１３が爪部２の内側リード角２３の間をスライドするとき、掘削作業の最中に爪部２が直接柱状ストッパー３１に衝突することを避けるために配置された空間である。
【００２６】
図７に示すように、固定ユニット３３の締付部３３１と差し込み部１２の締付用穴１２２とが結合するとき、固定ユニット３３の制止部３３２は孔２２に入り込む。そのため、掘削作業中に掘り出された土石が柱状ストッパー３１を圧迫して爪座１の内部まで後退させるとき、固定ユニット３３の制止部３３２によって孔２２の中に爪部２の逸脱を制止し、爪部２を爪座１に安定させることができる。
【００２７】
上述した説明をまとめてみると、本考案の長所は次の通りである。
１、建設機械のリッパーが掘削作業を進め、爪部２と爪座１とを相互に衝突させるとき、柱状ストッパー３１は外部に移動し、外側リード角３３が爪部２の内側リード角２３に当接することによって爪部２を制止し、爪部２と爪座１内部との間の隙間を許容範囲内に維持する。従って、爪座１と爪部２とが生じた相対的な移動を減少させれば、相対的に移動した爪部２が柱状ストッパー３１を爪座１内に詰め込むことを防止し、爪部２が爪座１から逸脱するという問題を解決することができる。
【００２８】
２、固定ユニット３３の制止部３３２は、孔２２の中に爪部２を制止することができる。従って、掘削作業の最中に掘り出された土石の圧迫によって柱状ストッパー３１が爪部２を制止できなくなったとき、制止部３３２によって爪部２を制止し、爪部２を爪座１に安定させれば、係止機構３が作用できなくなったときに爪部２が爪座１から逸脱するという問題を解決することができる。
【符号の説明】
【００２９】
１    ：爪座、
１１  ：固定部、
１２  ：差し込み部、
１２１：装着室、
１２２：締付用穴、
２    ：爪部、
２１  ：差し込み溝、
２２  ：孔、
２３  ：内側リード角、
３    ：係止機構、
３１  ：柱状ストッパー、
３１１：凹溝、
３１２：遮断リング、
３１３：外側リード角、
３２  ：弾性ユニット、
３３  ：固定ユニット、
３３１：締付部、
３３２：制止部、
４    ：弾性空間、
Ａ    ：バケット。
【図１】
0003170089.tif 000003
【図２】
0003170089.tif 000004
【図３】
0003170089.tif 000005
【図４】
0003170089.tif 000006
【図５】
0003170089.tif 000007
【図６】
0003170089.tif 000008
【図７】
0003170089.tif 000009